(57)【要約】【課題】高い透明性を有するとともに、給電線路との整合を容易に取ることができるアンテナおよびミリ波センサを提供する。【解決手段】本開示に係るアンテナは、板状の透明誘電体と、パッチアンテナと、地板と、透明導電膜とを備える。パッチアンテナは、透明誘電体のおもて面に設けられ、内側に孔部を有する。地板は、透明誘電体の裏面に設けられ、内側に孔部を有する。透明導電膜は、パッチアンテナの孔部に設けられる。【選択図】図１
2020120262.tif 000002
【特許請求の範囲】
【請求項１】
板状の透明誘電体と、
前記透明誘電体のおもて面に設けられ、内側に孔部を有するパッチアンテナと、
前記透明誘電体の裏面に設けられ、内側に孔部を有する地板と、
前記パッチアンテナの前記孔部に設けられる透明導電膜と、
を備えるアンテナ。
【請求項２】
前記透明導電膜は、前記パッチアンテナの前記孔部を覆うように設けられる
請求項１に記載のアンテナ。
【請求項３】
前記パッチアンテナの前記孔部は、複数並んで設けられる
請求項１に記載のアンテナ。
【請求項４】
前記パッチアンテナは、外周に沿うように形成される第１の導電経路と、内側で複数の前記孔部に沿うように形成される第２の導電経路とを有する
請求項３に記載のアンテナ。
【請求項５】
前記地板の前記孔部に設けられる透明導電膜をさらに備える
請求項１に記載のアンテナ。
【請求項６】
前記地板の前記孔部に設けられる前記透明導電膜は、当該孔部を覆うように設けられる
請求項５に記載のアンテナ。
【請求項７】
前記パッチアンテナの前記孔部は、矩形状である
請求項１に記載のアンテナ。
【請求項８】
前記パッチアンテナの前記孔部は、六角形状である
請求項１に記載のアンテナ。
【請求項９】
前記パッチアンテナの前記孔部は、三角形状である
請求項１に記載のアンテナ。
【請求項１０】
前記パッチアンテナの前記孔部は、円形状である
請求項１に記載のアンテナ。
【請求項１１】
ミリ波信号を生成するミリ波帯ＲＦ回路と、
前記ミリ波信号を送受信するアンテナと、
を備え、
前記アンテナは、
板状の透明誘電体と、
前記透明誘電体のおもて面に設けられ、内側に孔部を有するパッチアンテナと、
前記透明誘電体の裏面に設けられ、内側に孔部を有する地板と、
前記パッチアンテナの前記孔部に設けられる透明導電膜と、
を有するミリ波センサ。
【発明の詳細な説明】
【技術分野】
【０００１】
本開示は、アンテナおよびミリ波センサに関する。
【背景技術】
【０００２】
近年、建物や車両の窓に設置するアンテナにおいて、パッチアンテナおよび地板をまばらな格子状にすることにより、アンテナの透明性を高める技術がある（たとえば、特許文献１参照）。
【先行技術文献】
【特許文献】
【０００３】
【特許文献１】特開２００６−３０３８４６号公報
【発明の概要】
【発明が解決しようとする課題】
【０００４】
しかしながら、上記の従来技術では、パッチアンテナおよび地板をまばらな格子状で構成するため、パッチアンテナおよび地板が一様な金属薄膜で構成される場合に比べて、給電線路との整合を取ることが困難である。
【０００５】
そこで、本開示では、高い透明性を有するとともに、給電線路との整合を容易に取ることができるアンテナおよびミリ波センサを提案する。
【課題を解決するための手段】
【０００６】
本開示によれば、アンテナが提供される。アンテナは、板状の透明誘電体と、パッチアンテナと、地板と、透明導電膜とを備える。パッチアンテナは、前記透明誘電体のおもて面に設けられ、内側に孔部を有する。地板は、前記透明誘電体の裏面に設けられ、内側に孔部を有する。透明導電膜は、前記パッチアンテナの前記孔部に設けられる。
【０００７】
また、本開示の一つの側面に係るアンテナは、前記地板の前記孔部に設けられる透明導電膜をさらに備える。
【発明の効果】
【０００８】
本開示によれば、高い透明性を有するとともに、給電線路との整合を容易に取ることができるアンテナおよびミリ波センサを提供することができる。なお、ここに記載された効果は必ずしも限定されるものではなく、本開示中に記載されたいずれかの効果であってもよい。
【図面の簡単な説明】
【０００９】
【図１】本開示の実施形態に係るアンテナの構成を示す上面斜視図である。
【図２】本開示の実施形態に係るアンテナの構成を示す下面斜視図である。
【図３】参考例１におけるアンテナの構成を示す上面斜視図である。
【図４】参考例２におけるアンテナの構成を示す上面斜視図である。
【図５Ａ】本開示の実施形態に係るアンテナの周波数に対する反射特性を示すグラフである。
【図５Ｂ】本開示の実施形態に係るアンテナの放射指向性を示すグラフである。
【図６Ａ】参考例１におけるアンテナの周波数に対する反射特性を示すグラフである。
【図６Ｂ】参考例１におけるアンテナの放射指向性を示すグラフである。
【図７Ａ】参考例２におけるアンテナの周波数に対する反射特性を示すグラフである。
【図７Ｂ】参考例２におけるアンテナの放射指向性を示すグラフである。
【図８】本開示の実施形態の変形例１に係るアンテナの構成を示す上面斜視図である。
【図９】本開示の実施形態の変形例２に係るアンテナの構成を示す上面斜視図である。
【図１０】本開示の実施形態の変形例３に係るアンテナの構成を示す上面斜視図である。
【図１１】本開示の実施形態に係るミリ波センサの概略的な構成の一例を示すブロック図である。
【発明を実施するための形態】
【００１０】
以下に、本開示の各実施形態について図面に基づいて詳細に説明する。なお、以下の各実施形態において、同一の部位には同一の符号を付することにより重複する説明を省略する。
【００１１】
近年、建物や車両の窓に設置するアンテナにおいて、パッチアンテナおよび地板をまばらな格子状にすることにより、アンテナの透明性を高める技術がある。
【００１２】
しかしながら、上記の従来技術では、パッチアンテナおよび地板をまばらな格子状で構成するため、パッチアンテナおよび地板が一様な金属薄膜で構成される場合に比べて、給電線路との整合を取ることが困難である。
【００１３】
なぜなら、パッチアンテナおよび地板をまばらな格子状で構成するため、アンテナのインピーダンスが増加してしまうからである。さらに、パッチアンテナおよび地板をまばらな格子状で構成するため、かかる格子状の配列パターンが変わると、整合条件が大幅に変化するからである。
【００１４】
そこで、高い透明性を有するとともに、給電線路との整合を容易に取ることができるアンテナの実現が期待されている。
【００１５】
［実施形態］
最初に、実施形態に係るアンテナ１の構成について、図１および図２を参照しながら説明する。図１は、本開示の実施形態に係るアンテナ１の構成を示す上面斜視図であり、図２は、本開示の実施形態に係るアンテナ１の構成を示す下面斜視図である。
【００１６】
図１などに示すように、実施形態に係るアンテナ１は、透明誘電体１０と、パッチアンテナ２０と、地板３０と、透明導電膜４０と、透明導電膜５０（図２参照）とを備える。なお、理解の容易のため、図１では透明導電膜５０の図示を省略し、図２ではパッチアンテナ２０および透明導電膜４０の図示を省略する。
【００１７】
透明誘電体１０は、ガラスや樹脂（たとえば、ポリイミド）、プレキシガラスなどの透明な誘電体で構成される。透明誘電体１０は、板状であり、互いに略並行なおもて面１１および裏面１２を有する。透明誘電体１０は、たとえば、上面視で矩形状である。なお、透明誘電体１０の形状は、矩形状に限られない。
【００１８】
パッチアンテナ２０は、透明誘電体１０のおもて面１１に設けられる。パッチアンテナ２０は、マイクロストリップ線路２１と、孔部２２と、給電点２３とを有する。
【００１９】
マイクロストリップ線路２１は、銅やアルミニウム、金などの電気伝導率の高い金属薄膜で構成される。マイクロストリップ線路２１は、所定のパターン（たとえば、格子状）を有する線路の集合体で構成され、全体形状として所定の形状（たとえば、略Ｔ字状）を有する。
【００２０】
なお、マイクロストリップ線路２１のパターンや全体形状は、図１に示す例に限られず、アンテナ１が送受信する電磁波の波長などに応じて適宜変更することができる。たとえば、図１の例では、透明誘電体１０の中央部に位置するマイクロストリップ線路２１の先端部が矩形状である場合について示しているが、かかる先端部は円形状などであってもよい。
【００２１】
孔部２２は、パッチアンテナ２０の内側において、複数のマイクロストリップ線路２１で囲まれる部位に複数形成される。孔部２２は、たとえば、上面視で矩形状である。実施形態では、かかる複数の孔部２２によって、パッチアンテナ２０の透明性を向上させることができる。
【００２２】
給電点２３は、図示しない給電線路が電気的に接続される部位である。パッチアンテナ２０には、かかる給電線路および給電点２３を介して、外部装置（たとえば、ミリ波帯ＲＦ回路３（図１１参照））から給電される。
【００２３】
図２に示すように、地板３０は、透明誘電体１０の裏面１２に設けられる。すなわち、パッチアンテナ２０および地板３０は、互いに略並行に配置される。そして、実施形態に係るアンテナ１では、パッチアンテナ２０の給電点２３に給電されることにより、互いに向かい合うパッチアンテナ２０と地板３０との間に所定の電界が形成される。
【００２４】
地板３０は、導体３１と、孔部３２とを有する。導体３１は、銅やアルミニウム、金などの電気伝導率の高い金属薄膜で構成される。
【００２５】
孔部３２は、地板３０の内側において、複数の導体３１で囲まれる部位に複数形成される。孔部３２は、たとえば、上面視で矩形状である。実施形態では、かかる複数の孔部３２によって、地板３０の透明性を向上させることができる。
【００２６】
図１においてドットのハッチングを付している透明導電膜４０は、透明性を有する導電体薄膜である。透明導電膜４０は、たとえば、ＩＴＯ（Indium  Tin  Oxide）、ＦＴＯ（Fluorine-doped  Tin  Oxide）、ＡＴＯ（Antimony  Tin  Oxide）、ＡＺＯ（Antimony  Zinc  Oxide）、ＧＺＯ（Gallium  Zinc  Oxide）、ＩＺＯ（Indium  Zinc  Oxide）などで構成される。
【００２７】
透明導電膜４０は、透明誘電体１０のおもて面１１において、パッチアンテナ２０の孔部２２に設けられる。透明導電膜４０は、たとえば、複数の孔部２２をすべて覆うように設けられる。
【００２８】
図２においてドットのハッチングを付している透明導電膜５０は、透明性を有する導電体薄膜である。透明導電膜５０は、たとえば、ＩＴＯ、ＦＴＯ、ＡＴＯ、ＡＺＯ、ＧＺＯ、ＩＺＯなどで構成される。なお、透明導電膜４０および透明導電膜５０は、互いに同じ材料を用いてもよいし、異なる材料を用いてもよい。
【００２９】
透明導電膜５０は、透明誘電体１０の裏面１２において、地板３０の孔部３２に設けられる。透明導電膜５０は、たとえば、複数の孔部３２をすべて覆うように設けられる。
【００３０】
つづいて、ここまで説明した実施形態に係るアンテナ１の各種特性について、参考例１および参考例２と比較しながら説明する。まずは、かかる参考例１、２について、図３および図４を参照しながら説明する。
【００３１】
図３は、参考例１におけるアンテナ１００の構成を示す上面斜視図である。図３に示すように、参考例１のアンテナ１００は、透明誘電体１０と、パッチアンテナ２０と、地板３０とを有する。
【００３２】
なお、アンテナ１００の透明誘電体１０、パッチアンテナ２０および地板３０は、実施形態と同様の構成を有する。すなわち、参考例１のアンテナ１００は、実施形態のアンテナ１から透明導電膜４０および透明導電膜５０が除かれた構成を有する。したがって、参考例１のアンテナ１００は、実施形態と同様に高い透明性を有する。
【００３３】
図４は、参考例２におけるアンテナ１０１の構成を示す上面斜視図である。図４に示すように、参考例２のアンテナ１０１は、透明誘電体１０と、パッチアンテナ２０と、地板３０とを有する。
【００３４】
なお、アンテナ１０１のパッチアンテナ２０は、実施形態のパッチアンテナ２０と同等の全体形状を有する。一方で、アンテナ１０１のパッチアンテナ２０には、孔部２２が形成されておらず、すべての領域が一様な金属薄膜で形成される。
【００３５】
同様に、アンテナ１０１の地板３０は、実施形態の地板３０と同等の全体形状を有する。一方で、アンテナ１０１の地板３０には、孔部３２が形成されておらず、すべての領域が一様な金属薄膜で形成される。
【００３６】
このように、参考例２のアンテナ１０１は、パッチアンテナ２０および地板３０に孔部２２、３２が形成されていないことから、透明性が低い。
【００３７】
つづいて、上述のアンテナ１、アンテナ１００およびアンテナ１０１の各種アンテナ特性について示す。図５Ａは、本開示の実施形態に係るアンテナ１の周波数に対する反射特性を示すグラフである。なお、以下に示す各種アンテナの反射特性は、一般的な給電線路で用いられる入力５０（Ω）における反射特性を示している。
【００３８】
図５Ａに示すように、実施形態に係るアンテナ１は、周波数７７（ＧＨｚ）付近に反射極小点を有することから、ミリ波信号を送受信するアンテナとして良好な反射特性を有する。
【００３９】
図５Ｂは、本開示の実施形態に係るアンテナ１の放射指向性を示すグラフである。なお、以下に示す各種アンテナの放射指向性は、Ｈ面の放射指向性とＥ面の放射指向性とを１つのグラフに示している。
【００４０】
図５Ｂに示すように、実施形態に係るアンテナ１は、Ｈ面の放射指向性が９０（°）〜２７０（°）の領域で低減していることから、背面方向への放射レベルが抑制されている。
【００４１】
図６Ａは、参考例１におけるアンテナ１００の周波数に対する反射特性を示すグラフである。図６Ａに示すように、参考例１におけるアンテナ１００は、周波数７７（ＧＨｚ）付近に反射極小点を有さないことから、ミリ波信号を送受信するアンテナとしては反射損失が大きい。
【００４２】
なお、アンテナ１００は、図６Ａに示す周波数帯以外の周波数帯においても反射極小点を有さないことから、ミリ波信号以外を送受信するアンテナとしても反射損失が大きい。
【００４３】
図６Ｂは、参考例１におけるアンテナ１００の放射指向性を示すグラフである。図６Ｂに示すように、参考例１におけるアンテナ１００は、Ｈ面およびＥ面の放射指向性が９０（°）〜２７０（°）の領域で比較的高いレベルを有していることから、背面方向への放射レベルが抑制されていない。
【００４４】
すなわち、参考例１のアンテナ１００は、透過性が高い一方でアンテナ効率は低いアンテナである。
【００４５】
図７Ａは、参考例２におけるアンテナ１０１の周波数に対する反射特性を示すグラフである。図７Ａに示すように、参考例２のアンテナ１０１は、周波数７７（ＧＨｚ）付近に反射極小点を有することから、ミリ波信号を送受信するアンテナとして良好な反射特性を有する。
【００４６】
図７Ｂは、参考例２におけるアンテナ１０１の放射指向性を示すグラフである。図７Ｂに示すように、参考例２のアンテナ１０１は、Ｈ面の放射指向性が９０（°）〜２７０（°）の領域で低減していることから、背面方向への放射レベルが抑制されている。
【００４７】
すなわち、参考例２のアンテナ１０１は、アンテナ効率が高い一方で透過性が低いアンテナである。また、図５Ａおよび図７Ａに示すように、実施形態に係るアンテナ１と参考例２のアンテナ１０１とは、類似の反射特性を有する。
【００４８】
すなわち、実施形態では、高い透明性を確保するために形成されるパッチアンテナ２０の孔部２２に透明導電膜４０を設けることにより、パッチアンテナ２０を一様な金属薄膜で形成したアンテナ１０１と類似の反射特性をアンテナ１に付与することができる。
【００４９】
ここで、パッチアンテナ２０を一様な金属薄膜で形成したアンテナ１０１は、送受信する電磁波の周波数などに応じて、給電線路との整合をとる設計が比較的容易である。
【００５０】
したがって、実施形態では、最初にパッチアンテナ２０が一様な金属薄膜で形成されたアンテナ１０１を設計し、設計されたパッチアンテナ２０に孔部２２を設け、かかる孔部２２に透明導電膜４０を設けることにより、給電線路との整合を容易に取ることができる。
【００５１】
さらに、実施形態では、パッチアンテナ２０の孔部２２に透明な透明導電膜４０が設けられることから、引き続きアンテナ１の高い透明性を確保することができる。したがって、実施形態によれば、高い透明性を有するとともに、給電線路との整合を容易に取ることができるアンテナ１を実現することができる。
【００５２】
また、実施形態では、パッチアンテナ２０の孔部２２に導電性の透明導電膜４０を設けることにより、背面方向への放射レベルを抑制することができる。したがって、実施形態によれば、アンテナ１の背面側に何らかの物体がある場合に、かかる物体への電磁波の影響を低減することができるとともに、かかる物体から反射した電磁波によるアンテナ１への影響を低減することができる。
【００５３】
また、実施形態では、高い透明性を確保するために形成される地板３０の孔部３２に、導電性の透明導電膜５０を設けるとよい。これにより、地板３０を一様な金属薄膜で形成したアンテナ１０１に類似する反射特性をアンテナ１に付与することができる。
【００５４】
また、実施形態では、パッチアンテナ２０の孔部２２を覆うように透明導電膜４０が設けられるとよい。これにより、パッチアンテナ２０を一様な金属薄膜で形成したアンテナ１０１にさらに類似する反射特性をアンテナ１に付与することができる。
【００５５】
同様に、実施形態では、地板３０の孔部３２を覆うように透明導電膜５０が設けられるとよい。これにより、地板３０を一様な金属薄膜で形成したアンテナ１０１にさらに類似する反射特性をアンテナ１に付与することができる。
【００５６】
なお、実施形態では、パッチアンテナ２０の孔部２２と地板３０の孔部３２とのいずれにも透明導電膜４０、５０を設けた例について示したが、実施形態のアンテナ１はかかる例に限られない。
【００５７】
たとえば、パッチアンテナ２０の孔部２２にのみ透明導電膜４０が設けられていてもよいし、地板３０の孔部３２にのみ透明導電膜５０が設けられていてもよい。
【００５８】
また、実施形態では、孔部２２がパッチアンテナ２０に複数並んで設けられるとよい。換言すると、パッチアンテナ２０は、外周に沿うように形成される第１の導電経路と、内側で複数の孔部２２に沿うように形成される第２の導電経路とを有するとよい。
【００５９】
これにより、内側に金属より導電性の低い透明導電膜４０が設けられている場合でも、アンテナ１に十分なアンテナ特性を付与することができる。
【００６０】
同様に、実施形態では、孔部３２が地板３０に複数並んで設けられるとよい。換言すると、地板３０は、外周に沿うように形成される第１の導電経路と、内側で複数の孔部３２に沿うように形成される第２の導電経路とを有するとよい。
【００６１】
これにより、内側に金属より導電性の低い透明導電膜５０が設けられている場合でも、アンテナ１に十分なアンテナ特性を付与することができる。
【００６２】
なお、実施形態では、透明導電膜４０がパッチアンテナ２０の孔部２２のみならず、マイクロストリップ線路２１の表面にも設けられていてもよい。一方で、実施形態では、透明導電膜４０がマイクロストリップ線路２１で囲まれる領域からはみ出さないように設けられるとよい。
【００６３】
なぜなら、給電点２３から給電された電流はマイクロストリップ線路２１と透明導電膜４０とで構成される集合体の外周に沿って流れるが、かかる外周に透明導電膜４０がはみ出ている場合、はみ出た透明導電膜４０を流れる電流に損失が生じるためである。
【００６４】
また、実施形態では、パッチアンテナ２０の孔部２２が矩形状であるとよい。これにより、パッチアンテナ２０の形状が矩形状の集合体で形成されている場合に、孔部２２を無駄なく並べることができることから、パッチアンテナ２０の透明性を向上させることができる。
【００６５】
なお、実施形態のアンテナ１では、パッチアンテナ２０の孔部２２が矩形状でなくともよい。図８は、本開示の実施形態の変形例１に係るアンテナ１の構成を示す上面斜視図である。図８に示すように、パッチアンテナ２０の孔部２２は六角形状であってもよい。
【００６６】
これにより、パッチアンテナ２０の内側に孔部２２を無駄なく並べることができることから、パッチアンテナ２０の透明性を向上させることができる。なお、以降に説明する各種変形例において、地板３０は、図２に示した実施形態と同様の構成を有する。
【００６７】
また、変形例１では、アンテナ１が送受信する電磁波の波長をλとした場合、孔部２２の半径ｒをλ／５０＜ｒ＜λ／５０の範囲に設定することにより、良好なアンテナ特性を得ることができる。
【００６８】
また、変形例１では、隣接する孔部２２の間に設けられる導電経路の幅をｗとした場合、ｗ／（√３ｒ）＜０．３に設定することにより、パッチアンテナ２０の透過率を７０％以上にすることができることから、高い透明性を得ることができる。
【００６９】
図９は、本開示の実施形態の変形例２に係るアンテナ１の構成を示す上面斜視図である。図９に示すように、パッチアンテナ２０の孔部２２は三角形状であってもよい。これにより、パッチアンテナ２０の内側に孔部２２を無駄なく並べることができることから、パッチアンテナ２０の透明性を向上させることができる。
【００７０】
図１０は、本開示の実施形態の変形例３に係るアンテナ１の構成を示す上面斜視図である。図１０に示すように、パッチアンテナ２０の孔部２２は円形状であってもよい。これにより、パッチアンテナ２０の内側に孔部２２を無駄なく並べることができることから、パッチアンテナ２０の透明性を向上させることができる。
【００７１】
なお、実施形態の孔部２２は、矩形状や六角形状、三角形状、円形状に限られず、その他の形状（たとえば、その他の多角形状や楕円形状）であってもよい。また、複数の孔部２２は、一種類の形状である場合に限られず、複数種類の形状が混ざっていてもよい。
【００７２】
さらに、実施形態において、地板３０の孔部３２は、図２に示した矩形状に限られず、これまで説明した孔部２２の各種形状と同様の形状であってもよい。
【００７３】
［効果］
実施形態に係るアンテナ１は、板状の透明誘電体１０と、パッチアンテナ２０と、地板３０と、透明導電膜４０とを備える。パッチアンテナ２０は、透明誘電体１０のおもて面１１に設けられ、内側に孔部２２を有する。地板３０は、透明誘電体１０の裏面１２に設けられ、内側に孔部３２を有する。透明導電膜４０は、パッチアンテナ２０の孔部２２に設けられる。
【００７４】
これにより、高い透明性を有するとともに、給電線路との整合を容易に取ることができるアンテナ１を実現することができる。
【００７５】
また、実施形態に係るアンテナ１において、透明導電膜４０は、パッチアンテナ２０の孔部２２を覆うように設けられる。
【００７６】
これにより、パッチアンテナ２０を一様な金属薄膜で形成したアンテナ１０１にさらに類似する反射特性をアンテナ１に付与することができる。
【００７７】
また、実施形態に係るアンテナ１において、パッチアンテナ２０の孔部２２は、複数並んで設けられる。
【００７８】
これにより、内側に金属より導電性の低い透明導電膜４０が設けられている場合でも、アンテナ１に十分なアンテナ特性を付与することができる。
【００７９】
また、実施形態に係るアンテナ１において、パッチアンテナ２０は、外周に沿うように形成される第１の導電経路と、内側で複数の孔部２２に沿うように形成される第２の導電経路とを有する。
【００８０】
これにより、内側に金属より導電性の低い透明導電膜４０が設けられている場合でも、アンテナ１に十分なアンテナ特性を付与することができる。
【００８１】
また、実施形態に係るアンテナ１は、地板３０の孔部３２に設けられる透明導電膜５０をさらに備える。
【００８２】
これにより、地板３０を一様な金属薄膜で形成したアンテナ１０１に類似する反射特性をアンテナ１に付与することができる。
【００８３】
また、実施形態に係るアンテナ１において、地板３０の孔部３２に設けられる透明導電膜５０は、孔部３２を覆うように設けられる。
【００８４】
これにより、地板３０を一様な金属薄膜で形成したアンテナ１０１にさらに類似する反射特性をアンテナ１に付与することができる。
【００８５】
また、実施形態に係るアンテナ１において、パッチアンテナ２０の孔部２２は、矩形状である。
【００８６】
これにより、パッチアンテナ２０の形状が矩形状の集合体で形成されている場合に、孔部２２を無駄なく並べることができることから、パッチアンテナ２０の透明性を向上させることができる。
【００８７】
また、実施形態に係るアンテナ１において、パッチアンテナ２０の孔部２２は、六角形状である。
【００８８】
これにより、孔部２２を無駄なく並べることができることから、パッチアンテナ２０の透明性を向上させることができる。
【００８９】
また、実施形態に係るアンテナ１において、パッチアンテナ２０の孔部２２は、三角形状である。
【００９０】
これにより、孔部２２を無駄なく並べることができることから、パッチアンテナ２０の透明性を向上させることができる。
【００９１】
また、実施形態に係るアンテナ１において、パッチアンテナ２０の孔部２２は、円形状である。
【００９２】
これにより、孔部２２を無駄なく並べることができることから、パッチアンテナ２０の透明性を向上させることができる。
【００９３】
［ミリ波センサ］
図１１は、本開示の実施形態に係るミリ波センサ２の概略的な構成の一例を示すブロック図である。図１１に示すように、実施形態に係るミリ波センサ２は、アンテナ１と、ミリ波帯ＲＦ回路３と、ＡＤＣ／ＤＡＣ４と、ＤＳＰ５と、電源ユニット６と、入出力端子７とを備える。
【００９４】
図１１に示すミリ波センサ２において、たとえば、ミリ波帯ＲＦ回路３で生成されたミリ波信号は、アンテナ１から外部に放射される。そして、放射されたミリ波信号は、ターゲットとなる被測定物に到達して反射され、再度アンテナ１により受信される。
【００９５】
この受信されたミリ波信号には相対速度差によるドップラー信号が含まれていることから、ミリ波センサ２は、ミリ波帯ＲＦ回路３で受信波を送信波と比較することにより、ドップラー信号を抽出する。そして、抽出されたドップラー信号は、ＡＤＣ（Analog-to-Digital  Converter）／ＤＡＣ（Digital-to-Analog  Converter）４のＡＤＣでデジタル信号に変換される。
【００９６】
このデジタル変換されたドップラー信号をＤＳＰ（Digital  Signal  Processor）５でフーリエ変換することにより、ミリ波センサ２は、ドップラー周波数を検出する。そして、かかるドップラー周波数を解析することで、ミリ波センサ２は、相対速度等の被測定物の相対動作状況を算出することができる。
【００９７】
また、ミリ波センサ２は、ＤＳＰ５による処理結果を入出力端子７を通じて出力することができる。さらに、ミリ波センサ２は、入出力端子７を介して入力されたデジタル信号をＤＳＰ５で処理し、ＡＤＣ／ＤＡＣ４のＤＡＣでアナログ信号に変換して、ミリ波帯ＲＦ回路３に伝送することもできる。
【００９８】
そして、実施形態に係るミリ波センサ２は、上述のアンテナ１が用いられていることから、高い透明性を有するとともに、給電線路との整合を容易に取ることができるアンテナ１を用いたミリ波センサ２を実現することができる。
【００９９】
なお、本明細書に記載された効果はあくまで例示であって限定されるものでは無く、また他の効果があってもよい。また、実施形態に係るアンテナ１は、ミリ波センサ２に用いられる場合に限られず、その他の各種機器にも用いることができる。
【０１００】
なお、本技術は以下のような構成も取ることができる。
（１）
板状の透明誘電体と、
前記透明誘電体のおもて面に設けられ、内側に孔部を有するパッチアンテナと、
前記透明誘電体の裏面に設けられ、内側に孔部を有する地板と、
前記パッチアンテナの前記孔部に設けられる透明導電膜と、
を備えるアンテナ。
（２）
前記透明導電膜は、前記パッチアンテナの前記孔部を覆うように設けられる
前記（１）に記載のアンテナ。
（３）
前記パッチアンテナの前記孔部は、複数並んで設けられる
前記（１）または（２）に記載のアンテナ。
（４）
前記パッチアンテナは、外周に沿うように形成される第１の導電経路と、内側で複数の前記孔部に沿うように形成される第２の導電経路とを有する
前記（３）に記載のアンテナ。
（５）
前記地板の前記孔部に設けられる透明導電膜をさらに備える
前記（１）〜（４）のいずれか一つに記載のアンテナ。
（６）
前記地板の前記孔部に設けられる前記透明導電膜は、当該孔部を覆うように設けられる  前記（５）に記載のアンテナ。
（７）
前記パッチアンテナの前記孔部は、矩形状である
前記（１）〜（６）のいずれか一つに記載のアンテナ。
（８）
前記パッチアンテナの前記孔部は、六角形状である
前記（１）〜（６）のいずれか一つに記載のアンテナ。
（９）
前記パッチアンテナの前記孔部は、三角形状である
前記（１）〜（６）のいずれか一つに記載のアンテナ。
（１０）
前記パッチアンテナの前記孔部は、円形状である
前記（１）〜（６）のいずれか一つに記載のアンテナ。
（１１）
ミリ波信号を生成するミリ波帯ＲＦ回路と、
前記ミリ波信号を送受信するアンテナと、
を備え、
前記アンテナは、
板状の透明誘電体と、
前記透明誘電体のおもて面に設けられ、内側に孔部を有するパッチアンテナと、
前記透明誘電体の裏面に設けられ、内側に孔部を有する地板と、
前記パッチアンテナの前記孔部に設けられる透明導電膜と、
を有するミリ波センサ。
（１２）
前記透明導電膜は、前記パッチアンテナの前記孔部を覆うように設けられる
前記（１１）に記載のミリ波センサ。
（１３）
前記パッチアンテナの前記孔部は、複数並んで設けられる
前記（１１）または（１２）に記載のミリ波センサ。
（１４）
前記パッチアンテナは、外周に沿うように形成される第１の導電経路と、内側で複数の前記孔部に沿うように形成される第２の導電経路とを有する
前記（１３）に記載のミリ波センサ。
（１５）
前記地板の前記孔部に設けられる透明導電膜をさらに備える
前記（１１）〜（１４）のいずれか一つに記載のミリ波センサ。
（１６）
前記地板の前記孔部に設けられる前記透明導電膜は、当該孔部を覆うように設けられる  前記（１５）に記載のミリ波センサ。
（１７）
前記パッチアンテナの前記孔部は、矩形状である
前記（１１）〜（１６）のいずれか一つに記載のミリ波センサ。
（１８）
前記パッチアンテナの前記孔部は、六角形状である
前記（１１）〜（１６）のいずれか一つに記載のミリ波センサ。
（１９）
前記パッチアンテナの前記孔部は、三角形状である
前記（１１）〜（１６）のいずれか一つに記載のミリ波センサ。
（２０）
前記パッチアンテナの前記孔部は、円形状である
前記（１１）〜（１６）のいずれか一つに記載のミリ波センサ。
【符号の説明】
【０１０１】
１    アンテナ
２    ミリ波センサ
３    ミリ波帯ＲＦ回路
１０  透明誘電体
１１  おもて面
１２  裏面
２０  パッチアンテナ
２１  マイクロストリップ線路
２２  孔部
２３  給電点
３０  地板
３１  導体
３２  孔部
４０  透明導電膜
５０  透明導電膜
【図１】
2020120262.tif 000003
【図２】
2020120262.tif 000004
【図３】
2020120262.tif 000005
【図４】
2020120262.tif 000006
【図５Ａ】
2020120262.tif 000007
【図５Ｂ】
2020120262.tif 000008
【図６Ａ】
2020120262.tif 000009
【図６Ｂ】
2020120262.tif 000010
【図７Ａ】
2020120262.tif 000011
【図７Ｂ】
2020120262.tif 000012
【図８】
2020120262.tif 000013
【図９】
2020120262.tif 000014
【図１０】
2020120262.tif 000015
【図１１】
2020120262.tif 000016